(57)【要約】【課題】複数のラーメン構造体を簡単な構造で組み合わせて、全方向の水平力に強固に抵抗するラーメン構造の木造建築構造躯体を得る。【解決手段】水平に設定したＸ軸方向に配置された木製のＸ方向梁３１と該Ｘ方向梁を支持する木製の柱３２とを備える複数のＸ方向ラーメン構造体１１，１２と、水平でＸ軸と直角に設定したＹ軸方向に配置された木製のＹ方向梁４１と該Ｙ方向梁を支持する木製の柱４２とを備える複数のＹ方向ラーメン構造体２１と、を有する。複数のＸ方向梁と、複数のＹ方向梁又は該Ｙ方向梁の軸線方向に力の伝達が可能に接続された複数のＹ方向の主径間梁３３とが、ラーメン構造体の柱間で交差して互いに接合されている。ラーメン構造体１１の梁３１は平行に配置された一対の横架部材３１ａ，３１ｂからなり、扁平柱３２を挟み込むように接合され、離隔した２つの位置で扁平柱に上下方向の変位が拘束されている。【選択図】図１
2018071269.tif 000002
【特許請求の範囲】
【請求項１】
水平に設定したＸ軸方向に配置された木製のＸ方向梁と、該Ｘ方向梁を支持する木製の柱と、を備える複数のＸ方向ラーメン構造体と、
水平で前記Ｘ軸と直角に設定したＹ軸方向に配置された木製のＹ方向梁と、該Ｙ方向梁を支持する木製の柱と、を備える複数のＹ方向ラーメン構造体と、を有し、
複数の前記Ｘ方向梁と、複数の前記Ｙ方向梁又は該Ｙ方向梁の軸線方向に力の伝達が可能に該Ｙ方向梁と接続された複数のＹ方向の延長梁とが、前記Ｘ方向ラーメン構造体又は前記Ｙ方向ラーメン構造体の前記柱間で交差して互いに接合されていることを特徴とする木造建築構造躯体。
【請求項２】
複数の前記Ｘ方向ラーメン構造体と複数の前記Ｙ方向ラーメン構造体との少なくとも一部は、
前記柱が、水平断面が長方形で該柱が支持する前記梁の軸線方向に長辺を有する扁平柱であり、
前記扁平柱が支持する前記梁は、該扁平柱の両側から該扁平柱を挟むように接合された一対の横架部材からなり、
前記横架部材は、前記扁平柱に対して該横架部材の軸線方向への変位が拘束されるとともに、
前記扁平柱の水平断面の短辺を含む２つの側面に接合金具がそれぞれ固定され、
一対の前記横架部材の双方は、該接合金具を介して該扁平柱に対する上下方向の変位が拘束されている、ラーメン構造体であることを特徴とする請求項１に記載の木造建築構造躯体。
【請求項３】
水平に設定したＸ軸方向に配置された木製のＸ方向梁と、該Ｘ方向梁を支持する木製の柱と、を備える複数のＸ方向ラーメン構造体と、
水平で前記Ｘ軸と直角に設定したＹ軸方向に配置された木製のＹ方向梁と、該Ｙ方向梁を支持してＹ方向の水平力に抵抗する耐力壁と、を備えた複数のＹ方向耐力構造体と、を有し、
複数の前記Ｘ方向梁と、複数の前記Ｙ方向梁又は該Ｙ方向梁の軸線方向に力の伝達が可能に該Ｙ方向梁と接続された複数のＹ方向の延長梁とが、前記Ｘ方向ラーメン構造体の前記柱間で交差して互いに接合されていることを特徴とする木造建築構造躯体。
【請求項４】
複数の前記Ｘ方向ラーメン構造体の少なくとも一部は、
前記柱が、水平断面が長方形で該柱が支持する前記Ｘ方向梁の軸線方向に長辺を有する扁平柱であり、
前記扁平柱が支持する前記梁は、該扁平柱の両側から該扁平柱を挟むように接合された一対の横架部材からなり、
前記横架部材は、前記扁平柱に対して該横架部材の軸線方向への変位が拘束されるとともに、
前記扁平柱の水平断面の短辺を含む２つの側面に接合金具がそれぞれ固定され、
一対の前記横架部材の双方は、該接合金具を介して該扁平柱に対する上下方向の変位が拘束されている、ラーメン構造体であることを特徴とする請求項３に記載の木造建築構造躯体。
【請求項５】
前記接合金具は、一対の前記横架部材間で、該横架部材の上面の高さから下面の高さまでの範囲に固定されていることを特徴とする請求項２又は請求項４に記載の木造建築構造躯体。
【請求項６】
前記扁平柱は、前記梁が接合された位置より上方に及ぶ高さを有するものであり、
前記梁が接合された位置より上方で、前記梁と平行に配置された上層梁が前記扁平柱に接合され、
前記上層梁は、前記扁平柱と曲げモーメントの伝達が可能に接合されていることを特徴とする請求項２、請求項４又は請求項５に記載の木造建築構造躯体。
【請求項７】
複数の前記Ｘ方向ラーメン構造体は、互いに対向するように設けられた第１のＸ方向ラーメン構造体と第２のＸ方向ラーメン構造体とを含み、  前記Ｙ方向ラーメン構造体又は前記Ｙ方向耐力構造体が有する前記柱又は前記耐力壁は、第１のＸ方向ラーメン構造体と第２のＸ方向ラーメン構造体との間の双方が対向する範囲の背面側にのみ設けられていることを特徴とする請求項１から請求項６までのいずれかに記載の木造建築構造躯体。
【発明の詳細な説明】
【技術分野】
【０００１】
本発明は、木材からなる柱と木材からなる梁等の横架材とをラーメン構造として構成された木造建築構造躯体に関するものである。
【背景技術】
【０００２】
柱と梁等の横架材とを曲げモーメントの伝達が可能に結合したラーメン構造が木造建築物においても提案されており、例えば特許文献１、特許文献２又は特許文献３に記載されているものがある。
特許文献１に記載されている構造は、木製の柱の側面に木製の梁を突き当て、曲げモーメントの伝達が可能となるように接合したものである。梁は柱の周囲の複数の方向から端面を突き当てて柱に接合されている。このラーメン構造は、いわゆる柱勝ち構造となっており、多層階の建築物に適用したときに柱を通し柱とすることができる。
【０００３】
一方、特許文献２に記載されているラーメン構造は、木製の柱の上端面に木製の梁を載せ掛けて曲げモーメントの伝達が可能となるように接合したものである。このラーメン構造は、門型のいわゆる梁勝ち構造となっており、構造用のパネルと組み合わせて建築物の構造躯体を形成するものとなっている。
また、特許文献３に記載されている骨組み構造は、柱と梁とを重ね合わせて剛結合された井桁形状の骨格構造体を複数組み合わせたものであり、骨格構造体の張り出した梁の先端部を互いに接合することによって立方体又は直方体に構築するものである。
【先行技術文献】
【特許文献】
【０００４】
【特許文献１】特開２０１２−１８８８１６号公報
【特許文献２】特開２００４−１４３７７９号公報
【特許文献３】特開２００６−１４４４６５号公報
【発明の概要】
【発明が解決しようとする課題】
【０００５】
特許文献１に記載のラーメン構造では、多層階の建築物等において複数の階層に連続する通し柱を用いることができるが、これに接合する梁は通し柱の両側に連続する梁とすることができない。つまり、それぞれの柱間で梁は分割されたものとなっている。そして、柱と梁との接合部では、梁が複数の方向から一つの柱に接合されることが多く、接合部の構造が複雑となる。
一方、特許文献２に記載のラーメン構造では、柱上に架け渡される梁は柱の位置を越えて連続する構造とすることができるが、多層階の建築物等において複数の階層に連続する通し柱とすることができない。そして、ラーメン構造体がパネルと組み合わされるものとなっており、屋内に広い空間を確保したり、間取りの自由度を確保したりすることが難しくなっている。
【０００６】
また、特許文献３に記載の骨組み構造では、井桁形状となった骨格構造体の張り出した梁の先端部を互いに接合して囲いを形成するように立方体又は直方体に組み立てている。このような構造では、大規模な構造として地震等の水平方向力に抵抗可能な構造とするのが難しい。
【０００７】
本発明は、上記のような事情に鑑みてなされたものであり、その目的は、複数のラーメン構造体を簡単な構造で組み合わせて、全方向の水平力に強固に抵抗するラーメン構造の木造建築構造躯体を得ること、又はこれに加えて複数の階層に連続する通し柱及び柱の両側方に連続する連続梁を用いたラーメン構造の木造建築構造躯体を得ることである。
【課題を解決するための手段】
【０００８】
上記課題を解決するために、請求項１に係る発明は、  水平に設定したＸ軸方向に配置された木製のＸ方向梁と、該Ｘ方向梁を支持する木製の柱と、を備える複数のＸ方向ラーメン構造体と、  水平で前記Ｘ軸と直角に設定したＹ軸方向に配置された木製のＹ方向梁と、該Ｙ方向梁を支持する木製の柱と、を備える複数のＹ方向ラーメン構造体と、を有し、  複数の前記Ｘ方向梁と、複数の前記Ｙ方向梁又は該Ｙ方向梁の軸線方向に力の伝達が可能に該Ｙ方向梁と接続された複数のＹ方向の延長梁とが、前記Ｘ方向ラーメン構造体又は前記Ｙ方向ラーメン構造体の前記柱間で交差して互いに接合されている木造建築構造躯体を提供する。
【０００９】
この木造建築構造躯体では、複数のＸ方向梁と複数のＹ方向梁又は延長梁とが互いに接合されることにより、Ｘ方向梁とＹ方向梁又は延長梁とが格子状に配列されて水平方向の構造体を構成する。この水平方向の構造体内ではＸ方向梁及びＹ方向梁又は延長梁によって水平方向の力が円滑に伝達される。そして、梁のそれぞれがラーメン構造体を形成しているので、地震等により水平方向の力が作用したときに、Ｘ方向梁を含むＸ方向ラーメン構造体及びＹ方向梁を含むＹ方向ラーメン構造体がそれぞれ水平力のＸ方向成分及びＹ方向成分に抵抗するものとなる。したがって、梁が格子状に組み合わされた水平方向の構造体に作用する全方向の水平力に対して、複数のラーメン構造体が一体となって強固に抵抗できる建築物の構造躯体となる。また、Ｘ方向梁とＹ方向梁との接合位置は柱間となっており、交差する２つの梁の接合部は梁と柱との接合部と分離することができる。これによりＸ方向梁とＹ方向梁との接合構造及びＸ方向梁又はＹ方向梁と柱との接合構造を簡単な構造とすることができる。
【００１０】
請求項２に係る発明は、請求項１に記載の木造建築構造躯体において、  複数の前記Ｘ方向ラーメン構造体と複数の前記Ｙ方向ラーメン構造体との少なくとも一部は、  前記柱が、水平断面が長方形で該柱が支持する前記梁の軸線方向に長辺を有する扁平柱であり、  前記扁平柱が支持する前記梁は、該扁平柱の両側から該扁平柱を挟むように接合された一対の横架部材からなり、  前記横架部材は、前記扁平柱に対して該横架部材の軸線方向への変位が拘束されるとともに、  前記扁平柱の水平断面の短辺を含む２つの側面に接合金具がそれぞれ固定され、  一対の前記横架部材の双方は、該接合金具を介して該扁平柱に対する上下方向の変位が拘束されている、ラーメン構造体とする。
【００１１】
この木造建築構造躯体では、木製の柱の中間部分で、該柱の両側へ連続する連続梁と該柱とが接合され、扁平な柱に対して梁が２つの離れた位置で上下方向の変位が拘束されるので、扁平な柱に対して梁の角度変化が拘束される。つまり、離れた２つの位置で互いに反対方向に作用する上下方向の力によって、梁と扁平な柱との間で曲げモーメントの伝達が可能となる。このように梁と柱とが接合されることにより、これらの間で曲げモーメントの伝達が可能なラーメン構造とすることができる。したがって、柱を複数の階層に及ぶ通し柱にするとともに、該柱に連続梁を接合することが可能となる。これにより、複数の階層に及ぶ通し柱及び連続梁を用いたラーメン構造であって、全方向の水平力に強固に抵抗することが可能な木造建築構造躯体が実現可能となる。また、扁平梁と柱との接合部では、梁が扁平な柱の断面の長辺方向に離れた２つの位置で上下方向の変位が拘束されるものとなっているので、小さな拘束力で接合部に作用する大きな曲げモーメントに耐え得るものとなる。
【００１２】
請求項３に係る発明は、  水平に設定したＸ軸方向に配置された木製のＸ方向梁と、該Ｘ方向梁を支持する木製の柱と、を備える複数のＸ方向ラーメン構造体と、  水平で前記Ｘ軸と直角に設定したＹ軸方向に配置された木製のＹ方向梁と、該Ｙ方向梁を支持してＹ方向の水平力に抵抗する耐力壁と、を備えた複数のＹ方向耐力構造体と、を有し、  複数の前記Ｘ方向梁と、複数の前記Ｙ方向梁又は該Ｙ方向梁の軸線方向に力の伝達が可能に該Ｙ方向梁と接続された複数のＹ方向の延長梁とが、前記Ｘ方向ラーメン構造体の前記柱間で交差して互いに接合されている木造建築構造躯体を提供するものである。
【００１３】
この木造建築構造躯体では、複数のＸ方向梁と複数のＹ方向梁又は延長梁とが格子状に組み合わされ、互いに結合されるので、これらの梁が水平方向の構造体を構成する。そして、梁のそれぞれがラーメン構造体又は耐力構造体を形成しているので、地震等により水平方向の力が作用したときに、Ｘ方向梁を含むＸ方向ラーメン構造体及びＹ方向梁を含むＹ方向の耐力壁がそれぞれ水平力のＸ方向成分及びＹ方向成分に抵抗するものとなる。したがって、梁が格子状に組み合わされた水平方向の構造体に作用する全方向の水平力に対して、複数のラーメン構造体と複数の耐力構造体とが一体となって強固に抵抗できる木造建築構造躯体となる。また、Ｘ方向ラーメン構造体の柱は、Ｘ方向梁とＹ方向梁との接合部と分離してＸ方向梁と接合することができ、簡単な接合構造で全方向の水平力に抵抗可能な構造躯体とすることができる。
【００１４】
請求項４に係る発明は、請求項３に記載の木造建築構造躯体において、  複数の前記Ｘ方向ラーメン構造体の少なくとも一部は、  前記柱が、水平断面が長方形で該柱が支持する前記Ｘ方向梁の軸線方向に長辺を有する扁平柱であり、  前記扁平柱が支持する前記梁は、該扁平柱の両側から該扁平柱を挟むように接合された一対の横架部材からなり、  前記横架部材は、前記扁平柱に対して該横架部材の軸線方向への変位が拘束されるとともに、  前記扁平柱の水平断面の短辺を含む２つの側面に接合金具がそれぞれ固定され、  一対の前記横架部材の双方は、該接合金具を介して該扁平柱に対する上下方向の変位が拘束されている、ラーメン構造体とする。
【００１５】
この木造建築構造躯体では、木製の柱の中間部分で、該柱の両側へ連続するＸ方向の連続梁と該柱とを接合し、これらの間で曲げモーメントの伝達が可能なラーメン構造とすることができる。したがって、柱を複数の階層に及ぶ通し柱にするとともに、該柱に連続梁を接合することが可能となり、変形が少なく強固なＸ方向のラーメン構造体が得られる。また、Ｘ方向梁は扁平柱の断面の長辺方向に離れた位置で上下方向の変位が拘束されるものとなっているので、小さな拘束力で接合部に作用する大きな曲げモーメントに耐え得るものとなる。つまり、離隔する２つの点で梁の上下方向の変位を拘束することによって曲げモーメントを扁平柱に伝達する構造となっており、小さな拘束力で曲げモーメントに抵抗することが可能となる。
【００１６】
請求項５に係る発明は、請求項２又は請求項４に記載の木造建築構造躯体において、  前記接合金具は、一対の前記横架部材間で、該横架部材の上面の高さから下面の高さまでの範囲に固定されているものとする。
【００１７】
この木造建築構造躯体では、接合金具が梁を構成する一対の横架部材の間に収まり、梁が屋内で露出する構造としても接合金具が目立つことはなく、屋内の仕上がりを良好なものとすることができる。また、接合金具が一対の横架部材の間にあることにより点検や補修を容易に行うことが可能となる
【００１８】
請求項６に係る発明は、請求項２、請求項４又は請求項５に記載の木造建築構造躯体において、  前記扁平柱は、前記梁が接合された位置より上方に及ぶ高さを有するものであり、  前記梁が接合された位置より上方で、前記梁と平行に配置された上層梁が前記扁平柱に接合され、  前記上層梁は、前記扁平柱と曲げモーメントの伝達が可能に接合されているものとする。
【００１９】
この木造建築構造躯体では、複数の階層に及ぶ通し柱に複数層の梁が曲げモーメントの伝達が可能に接合され、通し柱と該通し柱の両側に連続する連続梁とによってラーメン構造が形成される。柱と梁との接合部においては曲げ変形が生じやすくなるが、接合部で柱及び梁が連続していることによって構造体の変位を小さく抑えることが可能となる。したがって、変形量の小さい強固な構造とすることができる。
【００２０】
請求項７に係る発明は、請求項１から請求項６までのいずれかに記載の木造建築構造躯体において、  複数の前記Ｘ方向ラーメン構造体は、互いに対向するように設けられた第１のＸ方向ラーメン構造体と第２のＸ方向ラーメン構造体とを含み、  前記Ｙ方向ラーメン構造体又は前記Ｙ方向耐力構造体が有する前記柱又は前記耐力壁は、第１のＸ方向ラーメン構造体と第２のＸ方向ラーメン構造体との間の双方が対向する範囲の背面側にのみ設けられているものとする。
【００２１】
この木造建築構造躯体では、２つのＸ方向ラーメン構造体間には柱を設けることなく、複数のＸ方向ラーメン構造体と複数のＹ方向ラーメン構造体又はＹ方向耐力構造体とを結合した構造躯体とすることができる。したがって、２つのＸ方向ラーメン構造体の間に柱のない広い空間を形成するとともに、この空間の周囲に設けた柱を含むラーメン構造体又はこの空間の周囲に設けた耐力壁を含む耐力構造体によって全方向の水平力に対して大きな耐力を有する構造躯体とすることが可能となる。
なお、上記木造建築構造躯体は、３つ以上のＸ方向ラーメン構造体を含む場合であって、第２のＸ方向ラーメン構造体と第３のＸ方向ラーメン構造体とが互いに対向するように設けられているときに、第２のＸ方向ラーメン構造体と第３のＸ方向ラーメン構造体との間にＹ方向ラーメン構造体又はＹ方向耐力構造体の柱が設けられているものも含む。つまり、互いに対向するいずれか２つのＸ方向ラーメン構造体の間隔を他の互いに隣り合う２つのＸ方向ラーメン構造体の間隔より大きくして、この間にはＹ方向ラーメン構造体又はＹ方向耐力構造体の柱を設けることなく、大きな空間を形成することを可能とするものである。そして、Ｙ方向ラーメン構造体又はＹ方向耐力構造体の柱は、上記大きな間隔をあけて２つのＸ方向ラーメン構造体が対向する領域の外側の任意の位置に設けることができるものである。
【発明の効果】
【００２２】
以上説明したように、本発明の木造建築構造躯体では、複数のラーメン構造体を簡単な構造で接合して全方向の水平力に対して強固に抵抗できる建築物の構造躯体とすることができる。
【図面の簡単な説明】
【００２３】
【図１】本願発明の一実施形態である木造建築構造躯体を示す概略斜視図である。
【図２】図１に示す木造建築構造躯体を構成するラーメン構造体の柱と梁との接合構造を示す概略斜視図である。
【図３】図２に示す接合構造の、梁を接合する前の柱の状態を示す概略斜視図である。
【図４】図３に示す柱と接合される梁の接合前の状態を示す概略斜視図である。
【図５】図２に示す接合構造の、本図（ｂ）中に示すＡ−Ａ線における断面図である。
【図６】図２に示す接合構造の分解斜視図である。
【図７】図２に示す接合構造の、本図（ｂ）中に示すＢ−Ｂ線における矢視図である。
【図８】本願発明の他の実施形態である木造建築構造躯体の一部を示す概略斜視図である。
【図９】本願発明の他の実施形態である木造建築構造躯体を示す概略斜視図である。
【図１０】本願発明の他の実施形態である木造建築構造躯体を示す概略斜視図である。
【発明を実施するための形態】
【００２４】
以下、本発明の実施の形態を図に基づいて説明する。
図１は、本発明に係る木造建築構造躯体の一実施形態を示す概略斜視図である。
この構造躯体は、木製の柱と木製の梁とを曲げモーメントの伝達が可能に接合したラーメン構造体を複数組み合わせて主要部が構成されている。ラーメン構造体は、図１中に示す水平に設定したＸ軸に沿った方向に梁を有するＸ方向ラーメン構造体群１と、Ｘ軸と直角で水平に設定したＹ軸に沿った方向に梁を有するＹ方向ラーメン構造体群２とを含むものである。
【００２５】
Ｘ方向ラーメン構造体群１に含まれる第１のＸ方向ラーメン構造体１１と第２のＸ方向ラーメン構造体１２とは所定の間隔をあけて対向するように設けられ、これらのＸ方向ラーメン構造体１１，１２が有するＸ方向梁３１，３２の上に４つの主径間梁３３がＹ軸方向に架け渡されている。
Ｙ方向ラーメン構造体群２に含まれる４つのＹ方向ラーメン構造体２１は、第２のＸ方向ラーメン構造体１２の背面側つまり第１のＸ方向ラーメン構造体１１が設けられた側と反対側に配列して設けられている。そして、それぞれのＹ方向ラーメン構造体２１は、Ｙ方向梁４１の軸線がＸ方向ラーメン構造体１１，１２の複数の柱３２間又は柱が設けられた範囲の外側を通過する位置に設けられている。
Ｙ方向ラーメン構造体２１が有するＹ方向梁４１は、第２のＸ方向ラーメン構造体１２が有するＸ方向梁３１−２の上で、主径間梁３３と端面を突き合わせ、軸力の伝達が可能となるように接続されて、主径間梁３３が延長梁として機能するものとなっている。
【００２６】
第１のＸ方向ラーメン構造体１１と第２のＸ方向ラーメン構造体１２とが有する柱は、水平な断面の形状がＸ方向梁３１の軸線方向に長く、これと直角方向に短い扁平な長方形となった扁平柱３２である。Ｘ方向梁３１は扁平柱３２を両側から挟み込むように接合される一対の横架部材３１ａ，３１ｂからなるものであり、それぞれの横架部材３１ａ，３１ｂは、断面の形状が上下方向に長く、横方向に短い長方形となっている。Ｘ方向梁３１は上記扁平柱３２の中間部分に接合され、相互間で曲げモーメントの伝達が可能とするものであり、これによってラーメン構造体として機能するものとなっている。
一方、Ｙ方向ラーメン構造体２１も同様に扁平柱４２と一対の横架部材４１ａ，４１ｂからなるＹ方向梁４１とが、扁平柱４２の中間部分で曲げモーメントの伝達が可能に接合されたものである。
【００２７】
上記主径間梁３３は、一対の横架部材３３ａ，３３ｂからなるものであり、それぞれの横架部材３３ａ，３３ｂは、断面の形状が上下方向に長く、横方向に短い長方形となっている。これらの横架部材３３ａ，３３ｂは、Ｙ方向梁４１を構成する横架部材４１ａ，４１ｂと同じ幅を有し、幅方向に同じ間隔に保持されたものであるが、第１のＸ方向ラーメン構造体１１のＸ方向梁３１−１と第２のＸ方向ラーメン構造体１２のＸ方向梁３１−２との間では梁高が拡大され、広く設定された第１のＸ方向ラーメン構造体１１と第２のＸ方向ラーメン構造体１２との間に架け渡されて、これらの主径間梁３３上に作用する荷重を支持することができるものとなっている。
【００２８】
上記主径間梁３３はＹ方向梁４１と同一の軸線上にあって、軸線方向の力を伝達することが可能に接合されるとともに、これらと直角方向に配置されるＸ方向梁３１と交差し、互いに接合されている。これによりＸ方向梁３１と接続されたＹ方向梁４１及び主径間梁３３とが格子状に接合され、水平方向に広がりを有する水平方向構造体を形成している。この水平方向構造体を、Ｘ方向ラーメン構造体１１，１２の扁平柱３２及びＹ方向ラーメン構造体２１の扁平柱４２が支持するものとなっており、これらの扁平柱３２，４２は、Ｘ方向梁３１とＹ方向梁４１又は主径間梁３３との接合位置から外れた位置で支持するものとなっている。
また、主径間梁３３、Ｘ方向梁３１又はＹ方向梁４１の上には、床材として機能する面部材（図示しない）が固定され、水平方向に広がりを有する上記水平方向構造体の変形を拘束するものとなっている。
【００２９】
Ｘ方向ラーメン構造体１１，１２の扁平柱３２とＸ方向梁３１との接合構造及びＹ方向ラーメン構造体２１の扁平柱４２とＹ方向梁４１との接合構造は、次のようなものとなっている。なお、以下の説明はＸ方向ラーメン構造体１１の扁平柱３２とＸ方向梁３１との接合について説明するが、Ｙ方向ラーメン構造体２１についても同様に接合されるものである。
扁平柱３２と一対の横架部材３１ａ，３１ｂからなるＸ方向梁３１との接合は、図２に示すように、扁平柱３２の断面の長辺を含む側面（以下、長辺方向側面３２ａ）に一対の横架部材３１ａ，３１ｂが扁平柱３２を挟み込むように当接して接合されたものである。そして、扁平柱３２の長辺方向側面３２ａで該横架部材３１ａ，３１ｂが支持され、該横架部材の軸線方向の変位が拘束されるとともに、扁平柱３２の断面の短辺を含む側面（以下、短辺方向側面３２ｂ）に固定された柱側接合金具５１を介して横架部材３１ａ，３１ｂの扁平柱３２に対する上下方向の相対的な変位が拘束されるものである。
【００３０】
図３は、Ｘ方向梁３１を接合する前の扁平柱３２の状態を示す概略斜視図であり、図４は、Ｘ方向梁３１を構成する横架部材３１ａ，３１ｂの扁平柱３２と接合される前の状態を示す概略斜視図である。
図３に示すように扁平柱３２には、長辺方向側面３２ａの幅方向における中央部であって横架部材３１ａ，３１ｂが当接される領域の下部に梁支持凸部５２が設けられている。この梁支持凸部５２は、金属からなる矩形断面の棒状部材が扁平柱３２を貫通して２つの長辺方向側面３２ａから端部が突き出したものである。また、上記梁支持凸部５２の上方であって横架部材３１ａ，３１ｂが当接される領域の上部には、受け金物５３が取り付けられている。受け金物５３は扁平柱３２に固定され、長辺方向側面３２ａより張り出した位置で上方に向けて立ち上げられた受け板５３ａを備えている。
【００３１】
また、扁平柱の短辺方向側面３２ｂには、接合されるＸ方向梁３１の上面の高さから下面の高さまでの範囲内に柱側接合金具５１が固定されている。柱側接合金具５１は、扁平柱３２に取り付けるためのプレート５１ａと、このプレートから突出するように固定された連結用ブロック５１ｂとを備えている。
プレート５１ａは扁平柱３２にねじ込まれるビス、釘又はラグスクリュー等を挿通するための複数の小孔がプレートのほぼ全域に分布して設けられている。
連結用ブロック５１ｂは、プレート５１ａの両側縁に沿った位置で上下方向のほぼ中央部に設けられている。すなわち扁平柱３２に接合される一対の横架部材３１ａ，３１ｂの互いに対向する面と近接した位置に、それぞれ設けられている。それぞれの連結用ブロック５１ｂは、鉛直方向に貫通するボルト孔５１ｃを備えており、このボルト孔の内周面に雌ネジが形成されて、上方と下方との双方からボルトをねじ込むことができるものとなっている。
【００３２】
一方、Ｘ方向梁３１を構成する横架部材３１ａ，３１ｂには、図４に示すように、扁平柱３２と当接される領域の下部であって長辺方向側面３２ａの幅方向における中央部に、切り欠き凹部６２が形成されている。この切り欠き凹部６２には、扁平柱３２に設けられた梁支持凸部５２が入り込み、横架部材３１ａ，３１ｂを下側から支持するとともに該横架部材の軸線方向の変位を拘束するものとなっている。また、扁平柱３１が当接される領域の中央上部には、掛け金物６３が取り付けられている。掛け金物６３は、横架部材３１ａ，３１ｂの扁平柱３２と当接する面に凹部６８を設け、この凹部内に固定されている。そして、横架部材３１ａ，３１ｂの扁平柱３２に当接される面に沿って上部から下方に突き出した掛け板６３ａを備えている。掛け板６３ａは扁平柱３２に固定された受け金物５３が有する受け板５３ａと掛け合わすことができるものである。つまり、受け板５３ａが掛け板６３ａを下側から抱え込むように保持するものとなっている。
【００３３】
また、一対の横架部材３１ａ，３２ｂの互いに対向する側面の、扁平柱３２の２つの短辺方向側面３２ｂと隣接する位置には、梁側接合金具６１がそれぞれ取り付けられている。この梁側接合金具６１は、横架部材３１ａ，３１ｂに取り付けるためのプレート６１ａと、このプレート６１ａから突出するように固定された孔あきブロック６１ｂとを備えている。
プレート６１ａは、柱側接合金具のプレート５１ａと同様に、扁平柱３２にねじ込まれるビス、釘又はラグスクリュー等を挿通するための複数の小孔がプレート６１ａのほぼ全域に分布して設けられている。
孔あきブロック６１ｂは、プレート６１ａの幅方向のほぼ中央であって上下に２つが間隔をあけて設けられ、扁平柱３２の短辺方向側面３２ｂと近接する位置に突き出している。この位置は、扁平柱３２に固定された柱側接合金具５１の連結用ブロック５１ｂが突き出している位置の直上及び直下となっている。この孔あきブロック６１ｂには上下方向に貫通孔６１ｃが形成されており、この貫通孔６１ｃは扁平柱３２に取り付けられた柱側接合金具５１の連結用ブロック５１ｂに設けられたボルト孔５１ｃと軸線が一致する位置に設けられたものである。
【００３４】
このような扁平柱３２と一対の横架部材３１ａ，３１ｂからなるＸ方向梁３１とは次のように接合される。
Ｘ方向梁３１を構成するそれぞれの横架部材３１ａ，３１ｂは、扁平柱３２の両側からそれぞれ長辺方向側面３２ａに当接し、図５に示すように扁平柱３２に設けられた梁支持凸部５２が横架部材３１ａ，３１ｂの切り欠き凹部６２に嵌まり込むように上方から該梁支持凸部５２に載せ掛ける。これと同時に扁平柱３２に固定されている受け金物５３の受け板５３ａが横架部材３１ａ，３１ｂに固定されている掛け金物６３の掛け板６３ａを抱え込むように掛け合わされる。これにより、横架部材３１ａ，３１ｂは梁支持凸部５２によって支持されるとともに横架部材３１ａ，３１ｂの上部は受け金物５３と掛け金物６３とによって扁平柱３２に当接する位置に保持され、横架部材３１ａ，３１ｂの側面が扁平柱３２の長辺方向側面３２ａと対向した姿勢に維持される。ただし、このとき横架部材３１ａ，３１ｂは梁支持凸部５２の軸線周り回転が拘束されたものではない。
【００３５】
横架部材３１ａ，３１ｂが梁支持凸部５２及び受け金物５３と掛け金物６３とによって保持された状態で、図６に示すように横架部材３１ａ，３１ｂに固定された梁側接合金具６１と扁平柱３２に固定された柱側接合金具５１とが連結される。
横架部材３１ａ，３１ｂが梁支持凸部等によって支持され、横架部材３１ａ，３１ｂの側面が扁平柱の長辺方向側面３２ａに当接された状態では、図６中の一点鎖線で示すように梁側接合金具６１の２つの孔あきブロック６１ｂに設けられた鉛直方向の貫通孔６１ｃと、柱側接合金具５１の連結用ブロック５１ｂに設けられたボルト孔５１ｃとの中心線がほぼ一致するものとなる。したがって、上方から連結プレート６４及びワッシャ６５を装着して上側ボルト６６を上側の孔あきブロックの貫通孔６１ｃに挿通し、先端部を連結用ブロックのボルト孔５１ｃにねじ込むことができる。一方、下方からも下側ボルト６７を連結プレート６４及びワッシャ６５を装着して下側の孔あきブロックの貫通孔６１ｃに挿通し、先端部を連結用ブロックのボルト孔５１ｃにねじ込むことができる。そして、上側ボルト６６と下側ボルト６７との双方を締め付けることによって図７に示すように扁平柱３２と梁３１を構成する２つの横架部材３１ａ，３１ｂとが接合される。
なお、上記連結プレート６４は、長方形の鋼プレートであって、長辺方向の両端部にボルト６６，６７を挿通することができる孔が設けられている。これらの孔にボルト６６，６７を挿通して連結用ブロックのボルト孔５１ｃにねじ込むことによって一対の梁側接合金具５１が連結プレート６４によって連結されるものである。
【００３６】
このように接合された扁平柱３２と２つの横架部材３１ａ，３１ｂからなる梁３１とは、次のように上下方向の相対的な変位が拘束されるものとなる。
梁側接合金具６１及び柱側接合金具５１を介して連結された位置でＸ方向梁３１が扁平柱３２に対して下方へ変位しようとするときには、扁平柱３２に固定されている連結用ブロック５１ｂと横架部材３１ａ，３１ｂに固定されている下側の孔あきブロック６１ｂとが下側ボルト６７によって連結されていることにより、Ｘ方向梁３１の下方への相対的な変位が拘束される。一方、Ｘ方向梁３１が扁平柱３２に対して上方へ変位しようとするときには、扁平柱３２に固定されている連結用ブロック５１ｂと横架部材３１ａ，３１ｂに固定されている上側の孔あきブロック６１ｂとが上側ボルト６６によって連結されていることにより、Ｘ方向梁３１の上方への相対的な変位が拘束される。
【００３７】
なお、上記の接合構造において、上側ボルト６６と下側ボルト６７とに代えて一本の長いボルトとこのボルトにねじり合わされるナットとを用いるものであってもよい。このようなボルトとナットとを用いるときには、上方から連結プレート６４及びワッシャ６５を装着してボルトを上側の孔あきブロック６１ｂの貫通孔６１ｃに挿通し、連結用ブロック５１ｂのボルト孔５１ｃにねじ込む。さらに、このボルトを深くねじ込んでボルト孔５１ｃを貫通させ、下側の孔あきブロック６１ｂの貫通孔６１ｃに挿通する。そして、下方からワッシャ６５及び連結プレート６４を装着してナットをねじり合わせ、締め付けることによってＸ方向梁３１と扁平柱３２とを接合することができる。
【００３８】
このようにＸ方向梁３１が扁平柱３２の断面の長辺にほぼ相当する距離を隔てた２つの位置で上下方向の変位が拘束されることにより、Ｘ方向梁３１と扁平柱３２との間の相互間で曲げモーメントの伝達が可能となる。そして、扁平柱３２とＸ方向梁３１とがラーメン構造体を構成するものとなる。
【００３９】
また、このようにＸ方向梁３１と扁平柱３２とが接合されたラーメン構造体１１，１２では、扁平柱３１の両側に連続するＸ方向梁３１を扁平柱３１の中間部分に接合することとができ、Ｘ方向梁３１を連続梁とするとともに扁平柱３２を複数の階層に連続する通し柱とすることができる。したがって、図８に示すように複数の通し柱３４に対して上下に複数の梁３５，３６を接合することによって多層のラーメン構造体とすることができ、これらを組み合わせることによって全方向の水平力に対して多層のラーメン構造で抵抗する木造建築構造躯体とすることができる。
【００４０】
以上に説明した、図１に示す木造建築構造躯体では、Ｘ方向梁３１と扁平柱３２との接合構造及びＹ方向梁４１と扁平柱４２との接合構造が、図２から図７に示すように扁平柱３２，４２と一対の横架部材からなる梁３１，４１とを接合するものであるが、他の接合構造を採用してラーメン構造体を形成するものであってもよい。例えば図９に示す木造建築構造躯体は、Ｙ方向ラーメン構造体７０のＹ方向梁７１と柱７２とを、いわゆる梁勝ち構造として接合したものである。このようなＹ方向梁７１と柱７２との接合には、柱の端部に軸線方向にスクリュー部材（図示しない）をねじ込むとともにＹ方向梁７１の接合部には鉛直方向にスクリュー部材（図示しない）をねじ込んでおき、接合金具等を介してこれらのスクリュー部材を連結する構造を採用することができる。
【００４１】
なお、図９に示す木造建築構造躯体のＸ方向ラーメン構造体７３，７３は、図１に示す木造建築構造躯体のＸ方向ラーメン構造体と同じものが採用されている。また、２つのＸ方向ラーメン構造体７３，７３間に架け渡された主径間梁７６も図１に示す木造建築構造躯体と同様に一対の横架部材を平行に支持したものである。この主径間梁７６とＹ方向梁７１との接続は、Ｘ方向ラーメン構造体７３のＸ方向梁７４上で主径間梁７６を構成する一対の横架部材間にＹ方向梁７１を挟み込み、ボルト（図示しない）で締め付けるものとなっている。
【００４２】
一方、本発明の木造建築構造躯体は、ラーメン構造体のみの組み合わせによって構成されるものに限らず、一部に耐力壁を備えた耐力構造体を採用することができる。図１０に示す木造建築構造躯体では、Ｙ方向の水平力に対して耐力壁８２を含む耐力構造体８１で抵抗するものとしている。上記耐力壁８２は、Ｙ方向梁８３を支持する２つの柱８４，８４間に面部材８５を固定したものである。この他、筋交いを用いるものであってもよい。
この木造建築構造躯体でも、Ｘ方向は図１に示す木造建築構造躯体と同様の複数のラーメン構造体８６によって水平方向の力に抵抗するものとなっている。
【００４３】
なお、本発明において、Ｘ軸及びＹ軸は発明の説明を明確にするために設定したものであって、図１、図９及び図１０中に示す方向に限定されるものではない。例えば、図１、図９及び図１０中に示すＸ軸方向にＹ軸を、図中に示すＹ軸方向にＸ軸を設定することもできる。
また、本発明は、以上に説明した実施の態様に限定されるものではなく、本発明の範囲内で様々な態様で実施をすることができるものである。
【符号の説明】
【００４４】
１：Ｘ方向ラーメン構造体群，  ２：Ｙ方向ラーメン構造体群，
１１，１２：Ｘ方向ラーメン構造体，２１：Ｙ方向ラーメン構造体，
３１：Ｘ方向梁，  ３１ａ，３１ｂ：Ｘ方向梁を構成する一対の横架部材，  ３２：Ｘ方向梁を支持する扁平柱，  ３２ａ：扁平柱の長辺方向側面，  ３２ｂ：扁平柱の短辺方向側面，  ３３：主径間梁，  ３３ａ，３３ｂ：主径間梁を構成する一対の横架部材，  ３４：通し柱，  ３５，３６：梁，
４１：Ｙ方向梁，  ４１ａ，４１ｂ：Ｙ方向梁を構成する一対の横架部材，  ４２：Ｙ方向梁を支持する扁平柱，
５１：柱側接合金具，  ５１ａ：柱側接合金具のプレート，  ５１ｂ：連結用ブロック，  ５１ｃ：ネジ孔，  ５２：梁支持凸部，  ５３：受け金物，  ５３ａ：受け板，  
６１：梁側接合金具，  ６１ａ：梁側接合金具のプレート，  ６１ｂ：孔あきブロック，  ６１ｃ：貫通孔，６２：切り欠き部，  ６３：掛け金物，  ６３ａ：掛け板，  ６４：連結プレート，  ６５：ワッシャ，  ６６：上側ボルト，  ６７：下側ボルト，  ６８：凹部，
７０：Ｙ方向ラーメン構造体，  ７１：Ｙ方向梁、  ７２：柱，  ７３：Ｘ方向ラーメン構造体，  ７４：Ｘ方向梁，  ７５：扁平柱，  ７６：主径間梁，
８１：Ｙ方向耐力構造体，  ８２：耐力壁，  ８３：Ｙ方向梁，  ８４：柱，  ８５：面部材，  ８６：Ｘ方向ラーメン構造体
【図１】
2018071269.tif 000003
【図２】
2018071269.tif 000004
【図３】
2018071269.tif 000005
【図４】
2018071269.tif 000006
【図５】
2018071269.tif 000007
【図６】
2018071269.tif 000008
【図７】
2018071269.tif 000009
【図８】
2018071269.tif 000010
【図９】
2018071269.tif 000011
【図１０】
2018071269.tif 000012